(57)【特許請求の範囲】
【請求項１】
平面形状が長方形の複数の建物ユニットＡが、その長辺側側面同士が対向するように並設配置され、
前記建物ユニットＡの短辺側側面に、長辺側側面が対向するように平面形状が長方形の別の建物ユニットＢが配置され、
その別の建物ユニットＢの短辺側側面に接するように更に別の建物ユニットＣが配置されているユニット建物であって、
前記建物ユニットＡには、耐力壁線を構成する壁パネルが設けられ、
前記建物ユニットＢと前記建物ユニットＣの少なくとも一方に、前記建物ユニットＡの耐力壁線の略延長上に位置するまぐさが設けられていることを特徴とするユニット建物。
【請求項２】
前記建物ユニットＢの内部に、その長辺と平行に階段が配置され、前記建物ユニットＣの内部に玄関が配置されている請求項１記載のユニット建物。
【請求項３】
前記各建物ユニットＡ，Ｂ，Ｃが枠組壁工法で構成されている請求項１または２記載のユニット建物。
【発明の詳細な説明】
【０００１】
【発明の属する技術分野】
本発明は、ユニット建物に関する。
【０００２】
【従来の技術】
平面形状が矩形の建物ユニットを複数並設ならびに連結して構成するユニット建物は従来から多く知られており、その中の多くは、建物ユニットの長辺側側面同士を対向させて並設した平面構成となっている。ところが、中には、内部に階段が設けられる階段用建物ユニット等は、その長辺側側面を他の建物ユニットの短辺側側面に対向させて配置させた例も知られている（例えば、特開平４−３５０２３１号公報参照）。
【０００３】
【発明が解決しようとする課題】
ところで、後者の平面構成を枠組壁工法の建物ユニットに適用し、更に、階段と玄関とを直結させた平面構成とするために、前記階段用建物ユニットの短辺側側面に接するように玄関用建物ユニットを配置させた場合、階段用建物ユニットと玄関用建物ユニットとを合わせた床面形状の長短比が３：１以上の比率になってしまう。これは、社団法人日本ツーバイフォー建築協会発行の枠組壁工法建築物構造計算指針の平面計画の基本条件のひとつである「耐力壁線で囲まれた部分の床の形状は矩形とし、長辺の長さは短辺の長さの３倍以下としなければならない。」を満足できないことになって望ましくない。
【０００４】
そこで、本発明は、上記のような問題に着目し、長辺側側面同士が対向するように配置されている建物ユニットの短辺側側面に長辺側側面が対向するように別の建物ユニットを配置し、その別の建物ユニットの短辺側側面に更に別の建物ユニットを配置させた場合でも、十分な強度を確保することができるユニット建物を提供することを目的としている。
【０００５】
【課題を解決するための手段】
上記目的を達成するために、請求項１記載の発明では、平面形状が長方形の複数の建物ユニットＡが、その長辺側側面同士が対向するように並設配置され、前記建物ユニットＡの短辺側側面に、長辺側側面が対向するように平面形状が長方形の別の建物ユニットＢが配置され、その別の建物ユニットＢの短辺側側面に接するように更に別の建物ユニットＣが配置されているユニット建物であって、前記建物ユニットＡには、耐力壁線を構成する壁パネルが設けられ、前記建物ユニットＢと前記建物ユニットＣの少なくとも一方に、前記建物ユニットＡの耐力壁線の略延長上に位置するまぐさが設けられている構成とし、請求項２記載の発明では、請求項１記載の発明において、前記建物ユニットＢの内部に、その長辺と平行に階段が配置され、前記建物ユニットＣの内部に玄関が配置されている構成とし、請求項３記載の発明では、請求項１または２記載の発明において、前記各建物ユニットＡ，Ｂ，Ｃが枠組壁工法で構成されている構成とした。
【０００６】
【作用】
請求項１記載の発明では、建物ユニットＡの短辺側側面に長辺側側面が対向するように配置された建物ユニットＢと、その建物ユニットＢの短辺側側面に接するように配置された建物ユニットＣの少なくとも一方に、建物ユニットＡの耐力壁線の延長上に位置するまぐさが設けられていることで、建物ユニットＢあるいは建物ユニットＣに作用する水平荷重を、まぐさを介して建物ユニットＡの耐力壁線に伝えることができる。
また、まぐさによって、建物ユニットＢと建物ユニットＣとを合わせた床面の中に耐力壁線を構成することができ、それにより、耐力壁線で仕切られる床面形状の長短比を３：１以下の比率にすることができる。
請求項２記載の発明では、玄関と階段とが直結し、かつ、階段が緩勾配に構成されたユニット建物を構成することができる。
請求項３記載の発明では、枠組壁工法建築物構造計算指針の平面計画の基本条件を容易に満足することができるので、枠組壁工法のユニット建物に特に適している。
【０００７】
【発明の実施の形態】
以下、図１ならびに図２に基づいて、実施の形態のユニット建物について詳述する。図１は本実施の形態のユニット建物の平面構成を示す図で、この図に示す通り、本実施の形態のユニット建物は、枠組み壁工法で構成されたもので、平面形状の長辺が約5400mm，短辺が約2250mmになるように形成された３つの建物ユニットＡ（以下、それぞれを第１建物ユニットＡ１、第２建物ユニットＡ２、第３建物ユニットＡ３とする）と、平面形状の長辺が約5400mm，短辺が約1250mmになるように形成された第４建物ユニットＡ４と、平面形状の長辺が約4500mm，短辺が約1800mmになるように形成された第５建物ユニットＢと、平面形状の長辺が約2200mm，短辺が1800mmになるように形成された第６建物ユニットＣと、で一階部分が構成されている。
【０００８】
前記第１建物ユニットＡ１，第２建物ユニットＡ２，第３建物ユニットＡ３，第４建物ユニットＡ４は、それらの長辺側側面同士が対向するように並設配置されている。また、前記第５建物ユニットＢは、その長辺側側面が前記第１建物ユニットＡ１ならびに前記第２建物ユニットＡ２の短辺側側面と対向するように配置され、前記第６建物ユニットＣは、長辺側側面が前記第３建物ユニットＡ３の短辺側側面と対向し、短辺側側面が前記第５建物ユニットＢと対向するように配置されている。
【０００９】
また、前記第１建物ユニットＡ１は、屋外を向いて配置される長辺側側面と両短辺側側面のそれぞれに、耐力壁線を構成する壁パネル１１，１２，１３が設けられている。
【００１０】
前記第２建物ユニットＡ２は、両長辺側側面と両短辺側側面のそれぞれに、耐力壁線を構成する壁パネル２１，２２，２３，２４が設けられており、前記第３建物ユニットＡ３と対向する壁パネル２２には、開口部２２１が設けられていると共に、その開口部２２１の上方にまぐさ（図示省略）が設けられている。
【００１１】
前記第３建物ユニットＡ３は、両短辺側側面に、耐力壁線を構成する壁パネル３１，３２が設けられている。
【００１２】
前記第４建物ユニットＡ４は、屋外を向いて配置される長辺側側面と両短辺側側面のそれぞれに、耐力壁線を構成する壁パネル４１，４２，４３が設けられており、長辺側側面の壁パネル４１には、開口部４１１が設けられていると共に、その開口部４１１の上方にまぐさ（図示省略）が設けられている。
【００１３】
前記第５建物ユニットＢは、両長辺側側面と屋外を向いて配置される短辺側側面のそれぞれに、耐力壁線を構成する壁パネル５１，５２，５３が設けられており、前記第６建物ユニットＣと対向する短辺側側面の開口部上方にまぐさ５４が設けられている。なお、前記まぐさ５４は、寸法型式210 製材を厚さ12mmの構造用合板を介して２枚合わせとしたものである。また、この第５建物ユニットＢの内部には、その長辺と平行に階段５５が設置されている。
【００１４】
前記第６建物ユニットＣは、両長辺側側面に耐力壁線を構成する壁パネル６１，６２が設けられており、屋外を向いて配置される短辺側側面の開口部上方にまぐさ６３が設けられている。また、この第６建物ユニットＣの内部には玄関扉６４が設けられている。上記建物ユニットＡ１〜Ａ４，Ｂ，Ｃは、互いに10〜40mmの調整間隔を介して隣接し、壁パネル上面同士が板金接続具によって接合されている（特公平５−３８１０２号公報参照）。
【００１５】
図２は第５建物ユニットＢの短辺側側面図で、図中５６は上枠、５７は下枠、５８は柱、５９は飼木、５０はまぐさ受けで、前記まぐさ５４は、前記上枠５６に固定されていると共に、前記まぐさ受け５０に支持されている。
【００１６】
つまり、本実施の形態のユニット建物では、第１建物ユニットＡ１と第２建物ユニットＡ２の短辺側側面に長辺側側面が対向するように配置された第３建物ユニットＢの短辺側側面に、第２建物ユニットＡ２の壁パネル２２で形成される耐力壁線の延長上に位置するまぐさ５４を設けたことで、建物ユニットＢに作用する水平荷重を、このまぐさ５４を介して第２建物ユニットＡ２の壁パネル２２に伝えることができるので、建物ユニットＢの水平荷重に対する耐力を向上させることができる。
【００１７】
また、前記まぐさ５４により、建物ユニットＢと建物ユニットＣとの間に耐力壁線を構成することができ、それにより、その耐力壁線で仕切られる床面形状の長短比を３：１以下の比率にすることができる。つまり、別途、構造計算や実験等を行って構造耐力を確認する必要なく、枠組壁工法建築物構造計算指針の平面計画の基本条件のひとつである「耐力壁線で囲まれた部分の床の形状は矩形とし、長辺の長さは短辺の長さの３倍以下としなければならない。」を容易に満足させることができる。
【００１８】
更に、建物ユニットＢと建物ユニットＣとの間にまぐさ５４を設置して耐力壁線を設けたことで、建物ユニットＢの長辺を十分な長さ確保することができるので、玄関と階段５５とが直結し、かつ、階段５５が緩勾配に構成されたユニット建物を構成することができる。
【００１９】
以上、本発明の実施の形態を図面により詳述してきたが、具体的な構成はこの実施の形態に限られるものではなく、本発明の要旨を逸脱しない範囲における設計の変更等があっても本発明に含まれる。例えば、実施の形態では、建物ユニットＢの短辺側側面に、建物ユニットＡ２の耐力壁線の延長上に位置するまぐさ５４を設けたが、建物ユニットＡ２の耐力壁線の延長上に建物ユニットＣが存在する場合には、建物ユニットＣにまぐさを設けるようにしてもよい。具体的には、建物ユニットＡ２と建物ユニットＡ３の間を仕切る壁パネルを建物ユニットＡ３側に設け、この壁パネルの位置に合わせて建物ユニットＣにまぐさを設けるようにしてもよい。更に、まぐさの位置は、厳密に建物ユニットＡの耐力壁線の延長上にある必要はなく、最大２ｍまで離れていてもよい。また、まぐさの材質は、製材のみならず、集成材，エンジニアリングウッド（ＰＳＬ，ＬＳＬ等）等の他の木質材、更には、鋼材も所要強度に応じて適用できる。木質材のまぐさの断面寸法（寸法型式）も210 に限られず、206 以上のものを所要強度に応じて適用できる。
【００２０】
【発明の効果】
以上説明したように、請求項１記載の発明にあっては、建物ユニットＢあるいは建物ユニットＣに作用する水平荷重を、まぐさを介して建物ユニットＡの耐力壁線を構成する壁パネルに伝えることができるので、建物ユニットＢならびに建物ユニットＣの水平荷重に対する耐力を向上させることができるという効果が得られる。
また、まぐさにより、建物ユニットＢと建物ユニットＣとを合わせた床面の中に耐力壁線を構成することができ、それにより、耐力壁線で仕切られる床面形状の長短比を３：１以下の比率にすることができるという効果も得られる。
請求項２記載の発明では、玄関と階段とが直結し、かつ、階段が緩勾配に構成されたユニット建物を構成することができるという効果が得られる。
請求項３記載の発明では、枠組壁工法建築物構造計算指針の平面計画の基本条件を容易に満足することができるので、枠組壁工法のユニット建物に特に適している。
【図面の簡単な説明】
【図１】  実施の形態のユニット建物の平面構成を示す図である。
【図２】  第５建物ユニットＢの短辺側側面図である。
【符号の説明】
Ａ１  第１建物ユニット
１１，１２，１３  壁パネル
Ａ２  第２建物ユニット
２１，２２，２３，２４  壁パネル
Ａ３  第３建物ユニット
３１，３２  壁パネル
Ａ４  第４建物ユニット
４１，４２，４３  壁パネル
Ｂ  第５建物ユニット
５１，５２，５３  壁パネル
５４  まぐさ
５５  階段
Ｃ  第６建物ユニット
６１，６２  壁パネル
６３  まぐさ
６４  玄関扉
【図１】
0003725691.tif 000002
【図２】
0003725691.tif 000003